Podtech/llm-jp-corpus-v4-ja_patent huggingface dataset:
(57)【要約】【課題】  手指の不自由な方、手指の力が弱い方や腰痛のある方、お腹が大きな妊婦さん、幼児など、靴下を履くのが困難な方が、一人で履ける靴下を提供する。【解決手段】  本発明の靴下は上部に指掛け用のリングをつけることで、左右の指一本ずつを入れて引き上げるだけで、手指が不自由な方でも、力が弱い方でも、一人で履くことができるようにした。幼児が靴下を自分で履くための練習用としても有用である。また、付属のテープをリングに通してワッカを作れば、引き上げ位置が高くなり、腰痛の方や妊婦の方でも、腰を屈めずに履くことができる。【選択図】図１
2014058762.tif 000002
【特許請求の範囲】
【請求項１】
靴下のはき口上部にリングがついていて、そこに手の指を入れて引き上げることで、指一本で履ける靴下。
【請求項２】
ワッカ状になるテープを前記の靴下上部のリングに通すことで、引き上げる位置が上がり、腰を屈めずに履ける請求項１記載の靴下。
【発明の詳細な説明】
【技術分野】
【０００１】  本発明は、指の力が不自由な方、指の力が弱い方、お腹が大きくて靴下が履きにくい妊婦、まだ自分で靴下が履けない幼児等でも、一人で履ける靴下に関するものである。
【背景技術】
【０００２】  高齢化を受けて、高齢者でも履きやすい履き口のゆったりとした靴下が見られるようになってきた。
【発明の概要】
【発明が解決しようとする課題】
【０００３】  通常、靴下を履く場合、親指を含めた複数の指を使い、両手で引き上げて履くが、従来の靴下では、マヒやリウマチ等で指が動かしにくい方、指の力が弱い方は、一人で履くことが困難であった。【０００４】  さらに、ぎっくり腰や腰痛の方、お腹が大きな妊婦の方等は、腰を屈めにくく、一人で靴下を履くことが困難であった。【０００５】  また、幼児は手指の力が弱く、まだ指を自由に動かすことができないので、一人で靴下を履けるようになるには訓練が必要である。【０００６】  本発明は上記のような課題を解決し、手指が動かしにくい方、指の力が弱い方、お腹の大きな妊婦の方、腰痛で腰が屈めにくい方、自分でまだ靴下が履けない幼児等でも、一人で履けるようにして自立を支援することを目的とするものである。
【課題を解決するための手段】
【０００７】  本発明は上記目的を達成するために、指一本でも、力を入れなくても靴下が履けるように、はき口上部の左右に指を入れるためのリングをつけた、履き口のゆったりとした靴下と、そのリングに通してワッカを作り、引き上げ位置を高くするためのテープを付属させたものである。
【発明の効果】
【０００８】  上述したように、本発明の靴下は上部左右にリングがあり、そこに左右の指一本ずつを引っ掛けて引き上げるだけで履けるので、マヒやリウマチ等で手指が動かしにくい方、指の力が弱い方、指の機能が衰えたお年寄りでも、自分一人で履くことができ、自立を手助けすることができる。【０００９】  さらに、上記の指掛け用リングに、上述したテープを通してワッカを作れば、引き上げ位置が高くなるので、腰を屈めるのが困難な腰痛の方やぎっくり腰の方、お腹が大きな妊婦の方でも、腰を屈めることなく靴下を履くことができるようになる。【００１０】  また、まだ自分で靴下が履けない幼児でも、指を引っ掛けるだけで靴下が履けるので、靴下を履く練習用として有用である。
【図面の簡単な説明】
【００１１】
【図１】  本発明の指一本で履ける靴下の横から見た図と、付属のテープの図である。
【図２】  指掛け用のリングに通してワッカを作り、引き上げ位置を高めるテープを装着した靴下の図である。
【発明を実施するための形態】
【００１２】  以下、本発明を実施するための形態を図１〜図２に基づいて説明する。
【００１３】  図１においては、１は指を入れるためのリングで、靴下のはき口上部の左右に設けている。リングの形状は指を入れやすいように円形である。
【００１４】  ２は履き口で、力を入れずに履けるように、ゴムを弱くし、ゆったりとした形状になっている。
【００１５】  ３はテープの両端を留めてワッカにするためのマジックテープである。
【００１６】  図２の４はワッカにしたテープで、片方の靴下あたり、２本を必要とする。
【図１】
2014058762.tif 000003
【図２】
2014058762.tif 000004
(57)【要約】【課題】人工毛がついたヘアクリップやバレッタは髪の量が少ない人にとって乱れやすくその都度調整できないために取り付けた箇所だけ異常な髪の盛りあがりなるなど不自然に仕上がる可能性が高い。人工毛がついた輪ゴム素材には何重にも強力に留め四方に人工毛が付いているので髪全体のバランスが悪くなり滑ってずれてきてしまう。エクステンションも入浴時に自毛を思う存分洗髪できず特殊な技術でしっかり固定するため素人では自由に取り外せないことに対しクリップにすることによって簡単に着脱可能にした。  本発明は自然で美しい仕上がりが簡単にできる着脱式つけ毛クリップを提供する。【解決手段】クリップの中心部にフックとなる人口毛を挟むための凸部とそのカバーを設け、巻き髪あるいは直毛の人工毛を挟んで使用し、つけ毛自体の本数を増減できることを特徴とする。【選択図】図１
2014058751.tif 000002
【特許請求の範囲】
【請求項１】
人工毛自体をクリップ本体の中央に直毛あるいは巻き髪を凸部と小穴に挟んで使用することを特徴とした着脱式クリップ。ゴムでしばった後でも好きな箇所の頭髪におくれ毛やボリュームを加え髪型変更を楽しみながら長時間継続させどこでも簡単に行えることが特徴の着脱式クリップ。
【発明の詳細な説明】
【技術分野】
【０００１】
本発明は、つけ毛およびエクステンションを自由にバランスよく簡単に誰でも着脱できるクリップである。
【背景技術】
【０００２】
髪留めクリップ或いはゴムやバレッタで髪を束ねて仕上げる髪型におくれ毛や遊び毛を出すと優雅かつルーズに髪をまとめることができ、とくに美容院で自毛に装着するエクテンションは普段と違う自分を装うことが簡単に可能となり、髪留め類は髪が邪魔で留める物というだけではなく女性が髪の魅力を更に引き出すための道具であり美意識に対して髪束一本でイメージが変わることは髪は女性の命とも言われるほど楽しみのひとつともいえる。市販のつけ毛自体も髪型を変えたいときや髪のセットが面倒なときなどにつければ見栄えもよくなりとても便利なヘアグッズのひとつである。
【先行技術文献】
【特許文献】
【０００３】
【特許文献１】実用新案出願平９−２２６４公報、特許出願２００８―１６９５４６公報
【非特許文献】
【０００４】
【非特許文献１】発明学会  「発明ライフ」毎号
【発明の概要】
【発明が解決しようとする課題】
【０００５】
今までの人工毛がついたヘアクリップやバレッタは室内や外気など活動している最中に乱れ一日に何度も留め直し、とくに髪の量が少ない人にとってずれやすく人工毛の量が一定で調整できないために取り付けた箇所だけ異常に髪の量が多く不自然な仕上がりとなる。人工毛が付いた輪ゴムのような素材には自分の髪に留めたとき何重にも強力に留めるために髪型として長時間継続できず四方に人工毛がとびはね必要でない箇所と必要な箇所のバランスが悪い問題点があった。それらは髪自体を強力に引っ張って更に人工毛は重いのでずれてきてしまい自分の髪が横から出てきてしまい気になって何度も留めなおす行為をする。エクステンションも固定具があり入浴時などに自毛を思う存分洗髪できずエクステのみのケアも大変面倒な作業となり人間の髪に美容師の特殊な技術で固定するため自毛が延びると再度美容院に行き、素人では自由にエクステ自体を取り外して移動させることは不可能。
本発明は以上の問題点を解決するためになされたものである。
【課題を解決するための手段】
【０００６】
クリップを開いた状態でバネと重なりあったつまみ部分と平行した中心部にフックとなる人工毛を挟むための凸部とそのカバーを設け、そこに巻き髪あるいは直毛の人工毛を挟んで、つけ毛自体を本体より着脱可能にし本数を増減できることを最も特徴とする。
【発明の効果】
【０００７】
髪をゴムやバレッタで留めた際、おくれ毛を強調させたい箇所など簡単に着脱することが可能になり、また髪の形やスタイルによって毛束を増減でき外して別の箇所に再び取り付けることが容易となる。高額であるエクステンションは髪をアップさせたときなど固定具がみえてしまうが、クリップなら見えても不自然ではなくなる。バレッタのほとんどは毛髪量が多い人前提で作成してあるため髪が少ない人が留めるとその留め金部分の髪の根元が薄くなり頭皮が目立ち、バレッタ自体髪からずれ落ちてしまうといった欠点もこのつけ毛クリップを活用すれば髪の量にもボリュームが出て薄毛箇所を瞬時に補正できる利点がある。人工毛のついたゴム式のつけ毛にはゴムがらせん状にした周辺についていてゴムの直径が非常に大きく髪の量に応じて二重三重にしばって整えるが、貧弱な毛量の欠点に対しても着脱式なので留め終えたのちでも足して使用しバランスよく自由に素人でも簡単に修正できる。短髪からの髪型変更も同様に増減させ誰でもいつでも行えるのである。
【図面の簡単な説明】
【０００８】
【図１】図１は斜視図である。
【図２】図２は斜視図であり使用状態を示した説明図である。
【図３】図３は斜視図であり使用状態を示した説明図である。
【図４】図４は斜視図であり拡大図である。
【図５】図５は断面図である。
【図６】図６は使用状態である。（実施例１）
【図７】図７は使用状態である。（実施例２）
【図８】図８は斜視図である。
【図９】図９は使用状態である。（実施例３）
【発明を実施するための形態】
【０００９】
以下、本発明の実施の形態を説明する。
図１は本発明の斜視図であって、図１、図２、図３、図４、図５、図８と同様である。２は人工毛、３は人工毛を圧着させた薄い円形の板、４は３を覆うカバー。図３は４のカバーを開いた状態の説明図。図４は４、５、６部分の拡大図であり３を６の凸部分に掛け５に押しとめて同時に４のカバーをして使用する。
本発明は以上のような構造である。
【符号の説明】
【００１０】
１    本体クリップ
２    人工毛
３    人工毛を圧着させた薄円形の板
４    カバー
５    小穴
６    凸部
７    バネ
【図１】
2014058751.tif 000003
【図２】
2014058751.tif 000004
【図３】
2014058751.tif 000005
【図４】
2014058751.tif 000006
【図５】
2014058751.tif 000007
【図６】
2014058751.tif 000008
【図７】
2014058751.tif 000009
【図８】
2014058751.tif 000010
【図９】
2014058751.tif 000011
(57)【要約】【課題】  殺菌処理により損なわれがちな活性を確実に備えた酵素を含有する健康補助食品の提供。【解決手段】  野草片を混合撹拌し、熟成過程、発酵過程を経た酵素液を、乾燥過程を経て成る野草酵素粉末に、常温抽出法で得た活性を持つパパイン酵素粉末を配合してなることを特徴とする健康補助食品。【選択図】      図１
2014014291.tif 000002
【特許請求の範囲】
【請求項１】
野草片を混合撹拌し、熟成過程、発酵過程を経て得た酵素液に対し乾燥過程を経て得た植物酵素粉末に、常温抽出法で得た活性を持つパパイン酵素粉末を配合してなることを特徴とする健康補助食品。
【発明の詳細な説明】
【技術分野】
【０００１】
本発明は、粉状の健康補助食品に関するものであり、特に酵素をその活性状態を維持しつつ含有するものに関する。
【背景技術】
【０００２】
今日、ダイエット効果を期して新陳代謝を活発にし、或いは便秘の解消を目的として町内の腐敗防止を図るなど、種々の効果を期して様々な野生薬草を発酵熟成させた植物発酵酵素が提供され、中には、果物、野菜、穀物、野草など、多数の酵素を含んだ植物発酵酵素商品が提供されている（例えば、下記特許文献１参照）。
【０００３】
例えば、日本人の食事は約６０％から７０％が炭水化物である実情を踏まえ、種々の植物の抽出物から得たαーグルコシターゼの阻害作用を有する化合物であるサラシア・プリノイデスを配合し、それを摂取することによって、血糖値の上昇抑制と血中コレステロールの低下を促すと共に、分解されなかったオリゴ糖は、腸内の善玉菌の栄養源となり腸内環境も改善するとうたわれているもの（下記特許文献２参照）が紹介されている。
【先行技術文献】
【特許文献】
【０００４】
【特許文献１】特許第３３２５８７５号
【特許文献２】特許第３０３０００８号
【特許文献３】特開平１０−３２７８５６
【発明の概要】
【発明が解決しようとする課題】
【０００５】
しかしながら、上記の如く植物から得られた抽出物には、種々の栄養素の他に、種々雑菌も含まれるため、加熱等による殺菌処理が行われるが、当該殺菌処理で健康補助の効能を奏する酵素の活性が損なわれる場合も少なくない。
【０００６】
本発明は、上記実情に鑑みて為されたものであって、殺菌処理により損なわれがちな活性を確実に備えた酵素を含有する健康補助食品の提供を目的とする。
【課題を解決するための手段】
【０００７】
上記課題を解決する為になされた本発明による健康補助食品は、野草、穀物、海藻、又は果物をカット又は粉砕してなる野草片を混合撹拌し、熟成過程、発酵過程を経て得た酵素液に対し乾燥過程を経て得た植物酵素粉末に、常温抽出法で得た活性を持つパパイン酵素粉末を配合してなることを特徴とする。
【発明の効果】
【０００８】
以上の如く本発明による健康補助食品を食すれば、前記野草等に施された処理によって一部又は全部の活性を失った植物酵素粉末に対しても、雑菌を繁殖させることなく、素材の栄養素等による効能を維持しつつ、活性を持つ酵素の効能を得ることができる。
【図面の簡単な説明】
【０００９】
【図１】本発明による栄養補助食品の製造過程を示す工程図である。
【図２】本発明による栄養補助食品に用いる植物酵素粉末の製造過程を示す工程図である。
【発明を実施するための形態】
【００１０】
以下、本発明による作業着の実施の形態を図面に基づき詳細に説明する。
ここに示す健康補助食品は、野草、穀物、海藻、又は果物等からなる野草片に対し、混合撹拌工程、熟成工程、発酵工程、及び乾燥過程を施して植物酵素粉末を形成し、当該植物酵素粉末に、常温抽出法で得た活性を持つパパイン酵素粉末を配合したものである。
【００１１】
前記野草片は、先ず、前記野草にあっては、加熱して野草得たエキスを、黒糖を加えてペースト化し、穀物及び海藻にあっては、粉砕し前記野草エキスで煮て穀物粥化し、果物にあっては、カットしてペースト化し、それらを混合・撹拌する混合撹拌工程を経る。
前記混合撹拌工程を経た混合物は、先ず、比較的小さめのタンク（例えば、５ｔタンク）に移し替えて熟成し、更に、比較的大きめのタンク（例えば、１０ｔタンク）に移し替えて熟成し、熟成度合の均一化を図る。
【００１２】
熟成を終えた混合物に対し放冷工程を施した後、撹拌しつつ、一次発酵（アルコール発酵）、二次発酵（多糖類の生成）、三次発酵（乳酸、酢酸等の生成）を経て完成した酵素液を、デキストリンで倍散してスプレードライ（液体を微細な霧状にし、これを熱風中に噴出させ、瞬間的に粉状の乾燥物を得る方法）を施し植物酵素粉末を得る（図２参照）。
【００１３】
当該植物酵素粉末は、タンパク質、脂質、灰、糖質、食物繊維、糖類、ビタミン、フラボノイド類、ミネラル類、及びアミノ酸類を含有する。また、有機酸類を含有し、食欲増進作用、消化促進作用、整腸作用、制菌力増進、又は抗酸化作用を奏する。
【００１４】
パパイン酵素粉末は、パパイヤの実、茎、又は葉（以下、パパイヤ樹と記す。）を原料として抽出した酵素粉末である。
本発明による健康補助食品は、少なくともパパイン酵素の活性を維持するものであることから、加熱によりパパイン酵素の活性を損なわない常温抽出法を採用する。
【００１５】
常温抽出法は、公知の手法のいずれかを用いればよく、例えば、前記特許文献３に記載の手法を用いても良い。
即ち、汚れや不良部分を除去し洗浄・清掃を施した前記パパイヤ樹を粉砕ペースト化してパパイヤペーストを造り（ジュース化工程）、糖類を適宜加えて撹拌混合する（撹拌混合工程）。前記パパイヤペーストに対して重量比１以上の糖類を混入して常温放置すれば、アルコールが形成される。この手法は、その様に生成したアルコールをパパイン酵素の抽出と殺菌に利用するものである。
【００１６】
このまま常温で数日間放置すると、やがて浮遊物と流動物に分離する（発酵分離工程）。
分離したら、浮遊物を濾して採取し粉末化して（粉末化工程）パパイン酵素粉末を得る。
この手法では、撹拌して空気を与えることによって、複数回の浮遊物を得ることができる。
【００１７】
前記植物酵素粉末に、上記の如く抽出したパパイン酵素粉末を０．１重量％以上０．５重量％以下配合し混合することにより本発明による健康補助食品を得る（図１参照）。尚、この配合量は、一実施の形態であって、一度の摂取量など、状況に応じて８０重量％程度まで配合しても良い。
【００１８】
尚、前記植物酵素粉末に活性を与えたい場合にあっては、野草等の種類を吟味して、例えば、上記パパイン酵素の様な、常温抽出法を試みることもできる。
細菌等が問題となる場合には、洗浄・清掃を徹底し、雑菌の少ない品種及び部位を選択し、紫外線灯による殺菌を併用しても良い。
【図１】
2014014291.tif 000003
【図２】
2014014291.tif 000004
(57)【要約】【課題】  本発明は、鉢植えの草花や庭の植物が倒れないように支えたり、つる性植物も誘引可能で、この角支柱とテープを組み合わせて使うことで自由自在にまとめることができる、園芸用具を提供する。【解決手段】  角支柱（１）の縦方向に突起（２）を等間隔に設け、帯状のテープ（３）に等間隔に穴（４）を設け、角支柱（１）と帯状のテープ（３）を組み合わせたことを特徴とするテープと角支柱を組み合わせた園芸用具。【選択図】図１
2014014347.tif 000002
【特許請求の範囲】
【請求項１】
角支柱（１）の縦方向に突起（２）を等間隔に設け、帯状のテープ（３）に等間隔に穴（４）を設け、角支柱（１）と帯状のテープ（３）を組み合わせたことを特徴とするテープと角支柱を組み合わせた園芸用具。
【発明の詳細な説明】
【技術分野】
【０００１】  本発明は、鉢植えの草花や庭の植物が倒れないように支えたり、つる性植物も誘引可能で、この角支柱とテープを組み合わせて使うことで自由自在にまとめることができる、園芸用具に関するものである。
【背景技術】
【０００２】  従来、支柱と支えるためのリングが固定されている行燈仕立てがある。
サイズは、大、中、小のものがあり、園芸店で広く販売されている。
【先行技術文献】
【特許文献】
【０００３】
【特許文献１】  特開２００３−６１４８０号公報
【特許文献２】  特開２００６−５５１５５号公報
【発明の概要】
【発明が解決しようとする課題】
【０００４】  鉢植え草花や庭の植物は高さや束ねる量など様々なサイズが必要であった。
固定化されていると、それらに対応することができなかった。
本案明は以上の問題点を解決するものである。
【課題を解決するための手段】
【０００５】  角支柱（１）の縦方向に突起（２）を等間隔に設け、帯状のテープ（３）に等間隔に穴（４）を設け、角支柱（１）と帯状のテープ（３）を組み合わせたことを特徴とするテープと角支柱を組み合わせた園芸用具。
【発明の効果】
【０００６】  固定化された市販品をより一層使いやすい改良である。
テープは、柔軟性、耐久性、美観的にも優れ、高さの位置も調整でき取り付け簡単である。
【図面の簡単な説明】
【０００７】
【図１】  本発明の角支柱の斜視図である。
【図２】  本発明のテープで穴を開けた状態を示した斜視図である。
【図３】  本発明の使用状態を示した斜視図である。
【図４】  本発明の使用状態を示した斜視図である。
【発明を実施するための形態】
【０００８】  以下に、本発明を実施するための形態について説明する。
角支柱（１）の縦方向に、等間隔の突起（２）を設ける。
帯状のテープ（３）に等間隔に穴（４）を設ける。
角支柱（１）と帯状のテープ（３）を組み合わせる。
以上のように構成されたテープと角支柱を組み合わせた園芸用具。
本発明を使用するときは、植木鉢の草花や庭の植物などに突起のある角支柱を立て、テープで草花を取り囲むように輪にして、カットし、角支柱の突起部分にテープの穴を角支柱の突起に取り付ける。
【符号の説明】
【０００９】  １  角支柱
２  突起
３  テープ
４  穴
【図１】
2014014347.tif 000003
【図２】
2014014347.tif 000004
【図３】
2014014347.tif 000005
【図４】
2014014347.tif 000006
(57)【要約】【課題】公道上における、公衆衛生の向上、建造物に対する腐食、汚染の防止、公道の美観をはかりたい。【解決の手段】広く社会に公示する。【選択図】図２
2014014349.tif 000002
【特許請求の範囲】
【請求項１】
携帯できる犬用便器
【発明の詳細な説明】
【技術分野】
【０００１】本発明は公道上における、犬の運動時の排泄物を受容し、自宅に持ち帰る事を目的としている。
【背景技術】
【０００２】従来公道上における、犬の運動時、排泄したふんは収集し、自宅に持ち帰り処理していた、また排尿は公道上又は建造物に排尿後そのまま放置、又は水にて希釈が行われていた。
【発明の概要】
【０００３】この発明は上記欠点を除去し、ふん、尿ともに公道や建造物を汚損する事無く受容し、公道上の衛生状態の保全、建造物の腐食、汚染を防止し、公道上の美観を保持しようとするものである。
図−１  はこの携帯便器の正面図である、
図−２  はこの携帯便器の平面図である、
図示の通り周辺が高く、中が低い皿状の受け皿▲イ▼と角柱▲ロ▼が一体になった携帯便器を提供する。
図示の通り受け皿▲イ▼の周辺▲チ▼が高くなっており、尿のこぼれを防ぐ構造になっている、図−２の▲ヌ▼はメス犬用排尿受け面である、メス犬が排尿姿勢に入った場合、後足の間に差し入れて尿を受容する。
▲ル▼はメス  オス共用の排便受け面である、犬が排便姿勢に入った時犬と公道の間に差し入れ受容する、▲ヌ▼部と▲ル▼部にはあらかじめ吸湿剤▲オ▼を敷いておき、排便後ふんとともに角柱下部に設けられた、ふん格納庫▲ハ▼に収納する。
角柱▲ロ▼はオス犬用排尿受けであり、左右と後方三面を活用できる、この排尿受け面は小穴▲ヘ▼が開けてあり、尿をふん格納庫に導入する、
角柱▲ロ▼の下部はふん格納庫であり、上部は新品吸湿剤▲ソ▼の収納庫である、
【課題を解決するための手段】
【０００４】この発明は犬の排泄物を受容するため、腐食に強い材質で構成する。
【発明の効果】
【０００５】この発明により建造物の腐食、汚染が皆無となり、公道上の衛生が保たれる。
【発明を実施するための最良の形態】
【０００６】広く社会に告知しこの発明の普及をはかる。
【図面の簡単な説明】
【０００７】
【図１】図−１は正面図である、周辺が高く中央が低い皿状の受け皿▲イ▼と、受け皿の後方に角柱▲ロ▼を一体化した構造となっている、角柱▲ロ▼の下部二分の一はふん格納庫であり、底板▲ホ▼により上部新品吸湿剤収納庫▲ニ▼区分されている、ふん格納庫は前方が開口部となっている、▲ヨ▼はオス犬用排尿受け面であり、図示以外にも左側面、後面と三面を活用できる、▲ヘ▼は尿導入穴であり、尿をふん格納庫内に導入する、▲ソ▼は新品吸湿剤、▲ト▼はとってである。
【図２】図−２は平面図である、前方▲ヌ▼はメス犬の排尿受け面、▲ル▼部はメス、オス共通の排便受け面、▲オ▼は吸湿剤、▲ト▼はとってである、▲ソ▼は新品吸湿剤、▲ハ▼はふん格納庫である。
【図３】図３は背面図である▲チ▼は受け皿外周、▲ハ▼はふん格納庫、▲ホ▼は底板、▲ニ▼は新品吸湿剤収納庫、▲ソ▼は新品吸湿剤、▲ヘ▼はオス犬用尿導入穴である。
【図４】図４は右側面図である、▲ヌ▼はメス犬用排尿受け面、▲ル▼はメス、オス兼用排便受け面、▲ヨ▼はオス犬用尿受け面である。
【符号の説明】
【０００８】▲イ▼  受け皿
▲ロ▼  角柱
▲ハ▼  ふん格納庫
▲ニ▼  新品吸湿剤収納庫
▲ホ▼  底板
▲ト▼  とって
▲ヘ▼  オス犬用尿導入穴
▲チ▼  受け皿周辺部
▲オ▼  吸湿剤
▲ヌ▼  メス犬用排尿受け面
▲ル▼  メス、オス共通排便受け面
▲ソ▼  新品吸湿剤
▲ヨ▼  オス犬用排尿受け面
▲チ▼  受け皿外周
【図１】
2014014349.tif 000003
【図２】
2014014349.tif 000004
【図３】
2014014349.tif 000005
【図４】
2014014349.tif 000006
(57)【要約】【課題】従来は消しゴムを使った時のゴミ屑などの少量のゴミを簡単に掃除して、まとめてから捨てられる、使いかっての良い簡便な掃除の道具がなかった。【解決手段】本発明は低硬度のロール状のシリコーンゴムにゴミを吸着させて、マイクロファイバーのクロスとドクターブレードを使いゴミを集めてから捨てられるようにした。【選択図】図１
2014014643.tif 000002
【特許請求の範囲】
【請求項１】
ロール状の低硬度シリコーンゴムを使用してゴミを吸着させて、吸着させたゴミを布で掻きその後ドクターブレードを該シリコーンゴムに当て掻き取り集める掃除器具
【請求項２】
ゴミを吸着させた該シリコーンゴムの掻きに使用する布はマイクロファイバーのクロスである請求項１の掃除器具
【請求項３】
ごみの集積空間が該シリコーンゴムのクロスとドクターブレードを仕切りにして設けた密閉空間である請求項１の掃除器具
【発明の詳細な説明】
【技術分野】
【０００１】  本発明は、消しゴムから発生するゴミ屑やロール状に巻かれたフィルム表面に付着したゴミ、床のゴミなどを掻き取り、集めて廃棄する簡便な掃除器具に関する
【背景技術】
【０００２】  今までは、掃除機を使い掃除するのが一般であるが、少量の消しゴムのゴミ屑は手で掃き寄せたり、衣服に付着したゴミなどを拭き取るのにはロール状の粘着紙を転がして取っていた。また超低硬度のシリコーンゴムは粘着性があり毛ホコリやゴミを吸着しゴミ取りローラとして知られている。【０００３】  ロール状の粘着紙を使う方式では、粘着紙の交換が面倒であり取り替え使用すると高価になる。超低硬度シリコーンゴムによるゴミ取りローラでは水洗いで洗い流せて吸着性を復活できるが、その都度の水洗いが面倒である。【０００４】
【特許文献１】特開２００５−２４５８８６
【発明の開示】
【発明が解決しようとする課題】
【０００５】  以上述べてきたように、少量の机上のゴミや作業着などの衣服に付着したゴミや毛髪、工場の加工機械において走行するフィルム付着ゴミ、工場内の床などでは使いかってやスペースなどの制限もあり、粘着紙ロールや通常の掃除機に代わり使い安く、簡便で、集めたゴミを簡単に処理でき、さらに小型、あるいは臨機応変で使用可能な掃除器具が望まれていた。
【問題を解決するための手段】
【０００６】  そして、本発明では適度な硬度の粘着性を利用してゴミをロール状のシリコーンゴムに付着させてドクターブレードで掻き落とし集めようとするまでは、特別な工夫も要しない。しかしゴミは静電気を持ち、ブレードの材質を金属、プラスチックなど色々変えて試みたがブレードで静電気による反発が起きて飛び散ったり、ゴミがブレードの下の柔らかいシリコーンゴムに潜り込んで通過してしまい単にブレードの材質を変えても良い結果が得られなかった。さらにブレードの接触角度や圧力を変えても同様良い結果は得られなかった。
【発明の効果】
【０００７】  上述したような問題に本発明は、ゴミ取り掃除器具として形は小さいものも作成可能で学用品として筆箱に入れたり、机上に置いたり、また工場においては加工機の小スペースでも設置可能である。集めたゴミはまとめてからゴミ箱に入れ廃棄すればよい。超低硬度のシリコーンのように吸着したゴミの水洗いの必要もなく、また粘着紙のロールのように取り替えによるコストもかからず繰り返し使用可能で、簡便である。
【発明の実施するための最良の形態】
【０００８】以下、本発明の実施の形態を図１〜図２に基づいて説明する。
図１においては、具体的な１つの実施例としての掃除器具の断面図を示している。
図２は図１に示した構造で作成した消しゴムから発生するゴミ屑を掃除する掃除器具の使用例を図示している。
【０００９】  まず、各部材の使用目的と効果を具体的に図１により説明する。
シリコーンゴム１は２つのガイドロール２にそって回転する。このシリコーンゴムは硬度２０°（ハードネス）で吸着性も適度で過度のべとつきもない。この性質を維持するのに硬度としては低硬度の１０°〜４０°であれば目的を達成でき２０°が好ましい。
シリコーンゴム１の構造は低硬度２０°単層でもよいが内層を一般硬度の４０°〜６０°にした２層にしても良いし各種樹脂のコートでもよい。厚みは使用目的にもよるが実施例としては１ｍｍを使用した。
【００１０】  ドクターブレード３の材質は金属が好ましい。プラスチックではゴミの種類と発生する静電気で吸着や飛び散りがある。刃先の形状はテーパープラスラウンドのタイプで良い。厚みは０．１５〜０．３ｍｍで好ましくは０．２ｍｍである。
【００１１】  ４はマイクロファイバーのクロスである。シリコーゴム１によって吸着されて運ばれてきたゴミはこのマイクロファイバーのクロス４と接触し擦られてシリコーンゴム１との吸着強度が弱められる。また静電気による飛び散りもなくなる。マイクロファイバーの超極細繊維は繊維断面が鋭角に成形されていて汚れの掻き取りに効果があり、メガネ拭きなどに使われているのは周知の通りで、これが本発明でも同様な効果が発揮されたと思われる。
【００１２】  このマイクロファイバーのクロス４は薄いものでは３枚程度重ねて支持材５に接着固定されている。この支持材５はマイクロファイバーのクロス４とともに底材６に固定されている。ゴミはこのマイクロポーラスのクロス４を通過して次の密閉空間へ運ばれる。
マイクロファイバーのクロス４のもう一つの作用はこのマイクロファイバーのクロス４とドクターブレード３を仕切り材として他の周辺部材と共にゴミを集積する密閉空間７を構成する。
底材６は後部側材８に連結して蝶番などを使い開閉自在として集められたゴミを捨てられるようにしている。
【００１３】  このようにして出来た掃除器具の使い方はそこにあるゴミに当たるようにして図の右から左側へ押してゴミを吸着し掃除する。図１の左下の矢印９は掃除器具を押していくときの紙などの表面との接触点９を示している。
実施例では消しゴムから出るゴミ屑の掃除用としての１例を示したが、これに限らず衣服に付着したゴミや毛髪、フイルムに付着したゴミ、床のゴミ取りなど用途に応じて適宜取っ手をつけたり形や大きさを変えればよい。
また、実施例ではガイドロール２を２個使ったが、１個のロールに該シリコーンゴムを巻きつけて、基本形態が実施例と同様な構造になっていて目的が達成できればこれでもよい。
【図面の簡単な説明】
【００１４】
【図１】実施例の掃除器具の主要部を断面図として示した図
【図２】実施例の掃除器具を実際に使用しているところ
【符号の説明】
【００１５】  １  シリコーンゴム
２  ガイドロール
４  マイクロファイバーのクロス
３  ドクターブレード
【図１】
2014014643.tif 000003
【図２】
2014014643.tif 000004
(57)【要約】      （修正有）【課題】野山を切り開き自然を壊し霊園を造りその中にお墓を設け納骨埋葬することが一般的であるが、自然を壊さずに埋葬する方法を提供する。【解決手段】開閉用の落とし蓋５を備えた遺骨を納める収納ボックス３を台座２に設けて、納骨することのできる位牌。【選択図】図１
2014014634.tif 000002
【特許請求の範囲】
【請求項１】
位牌の台座の中に遺骨、骨壷を納め、納骨することのできるボックスを設置した台座。
【請求項２】
台座の左右に細い溝を作り、絵または写真を差し替えることができるようにした台座。
【請求項３】
二人用、三人用と、遺骨を収納することができる位牌台座。
【発明の詳細な説明】
【技術分野】
【０００１】位牌の台座の中に遺骨を納めることができるスペースを作る。
【背景技術】
【０００２】遺骨はお墓に納骨して埋葬するのが一般的な埋葬の方法であるが、お墓に納骨埋葬する他に何か方法はないかと考え出したのが位牌の台座の中に遺骨を納めることのできるスペースを作り、納骨する。【０００３】以下、図１の平面図により、詳細に説明する。【０００４】図１の１は位牌を裏から見た全体図で２は位牌の台座でその２の台座の中に骨壷をコンパクトにして納めることのできる収納ボックスを設置した台座。
３は骨壷を収納するためのボックス。
４は３のボックスの蓋をするための落とし蓋をするための溝。
５は３のボックスの落とし蓋。
【先行技術文献】
【特許文献】
【０００５】位牌【０００６】
【非特許文献】
【非特許文献】広告、カタログ。
【発明の概要】
【発明が解決しようとする課題】
【０００７】以上、述べたとおり遺骨をお墓に納骨するのが一般的な埋葬納骨の方法でありますが、墓を作るためには野や山を切り開き、自然を壊し墓を作ることのないようにするにはどうしたら良いかと考えたときに、考え出したのが位牌の台座の中に納骨することのできるスペースボックスを作り、遺骨、骨壷を納めて埋葬する位牌です。
図１の１の位牌の２の台座の中に設けた３のスペースボックスに納めて納骨埋葬のできる位牌です。
お墓に代わる納骨のできる位牌であります。【０００８】本発明はお墓に納骨し、埋葬するのが、お墓ではなく、位牌の台座の中に設けた図１の２の台座の中に設けた３のボックスの中に納骨して納める位牌です。
【課題を解決するための手段】
【０００９】本発明は上記目的を達成するためにお墓に代わり、位牌の台座の中に納骨できる位牌があれば、墓守をすることもなく、お墓を作ることも買うこともなく、簡単に納骨、埋葬することができるのです。【００１０】図１の１の位牌の２の台座の中に設けた３の骨壷を納めることのできるボックスです。【００１１】図１の１の位牌の２の台座の中に設けた３の納骨ができるスペースボックスを作り、納骨することにより、費用もかからず、簡単に納骨、埋葬することができるのです。
【図面の簡単な説明】
【００１２】
【図１】は平面図である。
【符号の説明】
【００１３】１．位牌の裏から見た全体図。
２．台座
３．収納ボックス
４．落とし蓋の溝
５．落とし蓋
【図１】
2014014634.tif 000003
(57)【要約】      （修正有）【課題】簡単にカーテンの裾やガラスに取り付けることができるカーテン煽り止めを提供する。【解決手段】紐２の両端にクリップ１a、１bを取り付けると、カーテンの裾と窓枠のレールなどにそれぞれ留めることができカーテンの煽りを防ぐことができる。また、片側を吸盤３のものとするとカーテンの裾と窓ガラスに取り付けることができる。【選択図】図１
2014014637.tif 000002
【特許請求の範囲】
【請求項１】
二個のクリップを紐などで連結したカーテン煽り止め。
【請求項２】
クリップを連結する紐を玉鎖、ゴム紐、チェーン、撚糸紐、組紐、平紐、ビニール紐などの装飾性のあるものとしたカーテン煽り止め。
【請求項３】
連結する紐をクリップ本体に接着、圧入、カシメ、融着、抜け止め、引っ掛けの方法で取り付ける請求項１、請求項２のカーテン煽り止め。
【請求項４】
片側のクリップに代わり、吸盤を取り付けた請求項１、請求項２、請求項３のカーテン煽り止め。
【請求項５】
クリップを取り付けた紐等の片側をカーテンの裾に縫い付けることができる請求項２、請求項３、請求項４のカーテン煽り止め。
【請求項６】
クリップ本体の材質を樹脂、金属、非鉄金属、木、または陶器としたカーテン煽り止め。
【発明の詳細な説明】
【技術分野】
【０００１】  本発明は、カーテンの煽り止めに関するものである。
【背景技術】
【０００２】  カーテンが風によって煽られることを防止するものとしてカーテンの裾に錘を挿入するもの、カーテンの裾に錘を吊すもの、およびカーテンの裾をクリップで留め窓枠などに固定するものなどが考案されている（実用新案文献１参照）（実用新案文献２参照）。
【先行技術文献】
【０００３】
【実用新案文献１】
実用新案登録  第３０６６２４５号
【実用新案文献２】
実用新案登録  第２５１２１３５号
【発明の概要】
【発明が解決しようとする課題】
【０００４】  カーテンが風によって煽られることを止めるため錘を用いる場合は風の強い場合など錘が風によって振られガラスなどに衝突して破損や危険が生じる。
また、クリップでカーテンの裾を留め、鎖で連結した他方を窓枠などに接着する場合は、取り付ける場所が制限され簡便に使用することができない。
【問題を解決するための手段】
【０００５】  本発明は、二個のクリップを紐などで連結したカーテン煽り止めである。また、片側をクリップに代え吸盤としたカーテン煽り止めである。
【発明の効果】
【０００６】    本発明を使用する場合、カーテンの裾と窓枠の枠材やレールなどにクリップを留めることによってカーテンの裾のどの位置でも簡単に取り付けることができ、容易にカーテンの煽りを止めることができる。  また、開放したガラス窓枠側のカーテンは本発明の片側が吸盤のものを窓ガラスに取り付け、他方のクリップをカーテンに留めることにより容易にカーテンの煽りを止めることができる。
【図面の簡単な説明】
【０００７】
【図１】本発明の斜視図  図１ａ  紐（２）の両側をクリップ（１ａ、１ｂ）としたもの  図１ｂ  紐（２）の片側をクリップ（１ｂ）、他方を吸盤（３）としたもの
【図２】本発明の使用形態を示した全体図
【図３】詳細図  図３ａ  両端クリップ（１ａ、１ｂ）のものの取り付け詳細図  図３ｂ  吸盤（３）のものの取り付け詳細図
【図４】紐等の片側をカーテンに縫いつけた使用例図  図４ａ  クリップ（１ａ）のものの詳細図  図４ｂ  吸盤（３）のものの詳細図
【発明を実施するための形態】
【０００８】  以下、本発明の実施の形態を説明する。
図１ａは、紐（２）の両端にクリップ（１ａ）、（１ｂ）を接着して取り付けた図である。
図１ｂは、紐（２）の一端にクリップ（１ｂ）、他端に吸盤（３）を接着して取り付けた図である。
図の紐（２）は一例を示し、玉鎖、チェーン、撚糸紐、組紐、平紐、ビニール紐を使用する。
紐（２）等はクリップ（１ａ、１ｂ）また、吸盤（３）に接着、圧入、カシメ、融着、抜け止め、引っ掛けなどの方法で固定する。
クリップ（１ａ、１ｂ）の形状、材質および色は種々のものの使用を想定する。
本発明は以上のような構造である。
図２は、本発明の使用例の全体を示す図である。カーテン（４）の裾にクリップ（１ｂ）を取り付けサッシ窓枠（５）のレール（１０）などに他方のクリップ（１ａ）を留めると連結の紐によりカーテンの煽りを制限できる。
吸盤（３）を使用した場合は、開放窓の窓枠（６）側のカーテンにクリップ（１ｂ）を留め、窓ガラス（９）に吸盤（３）を取り付ける。吸盤（３）のものの場合は、カーテンの裾だけではなく、カーテンのどの高さでもカーテン地にクリップ（１ｂ）を留めることができる。
図３ａは、クリップ（１ａ、１ｂ）のものの使用状態の詳細図である。
図３ｂは、吸盤（３）のもので、吸盤（３）を窓ガラス（９）に取り付けた詳細図である。
図４ａは、カーテン（４）に紐（２）等を留める手段としてカーテン（４）に縫いつける例を示したものである。
【符号の説明】
【０００９】１ａ  クリップ本体、１ｂ  クリップ本体、２  紐、３  吸盤、４  カーテン、５  サッシ窓枠、６  ガラス窓枠、７  カーテンレール、８  カーテンフック、９  窓ガラス、１０  ガラス窓枠レール、１１  縫い付け部
【図１】
2014014637.tif 000003
【図２】
2014014637.tif 000004
【図３】
2014014637.tif 000005
【図４】
2014014637.tif 000006
(57)【要約】【課題】壁面にポスター、カレンダー、書面等を貼る。または吊り下げて掲示する場合、画鋲や粘着テープを使用することで壁面にダメージを与える場合がある。  また、突っ張り棒そのものには、書面等を掲示できる機能はない。突っ張り棒を使用して書面等を掲示する場合にはさらに他の道具を用意しなければならない。  本発明は、壁面にダメージを与えずに書面等を掲示する磁着体付クリップを設けた突っ張り棒を提供する。【解決手段】突っ張り棒の一側面にばね式クリップを設けた。なお、ばね式クリップ挟み部の表て面に磁着体を設けた磁着体付クリップを設けた突っ張り棒。【選択図】図１
2014014635.tif 000002
【特許請求の範囲】
【請求項１】
伸縮式突っ張り棒の外側面にばね式クリップを設け、ばね式クリップ挟み部の表て面に磁着体を設けた磁着体付クリップを設けた突っ張り棒。
【請求項２】
ばね式クリップの代わりに挟み込み式クリップを設けた請求項１の磁着体付クリップを設けた突っ張り棒。
【発明の詳細な説明】
【技術分野】
【０００１】  本発明は、突っ張り棒に新たな機能を設けた機能的かつ快適な住及び職場空間を演出する磁着体付クリップを設けた突っ張り棒に関するものである。
【背景技術】
【０００２】  壁面にポスター、カレンダー、書面等を掲示する場合、壁面に画鋲を使うとか粘着テープで貼る必要がある。
また、突っ張り棒には、書面等を吊り下げたり、掲示したりする機能はなく、もし壁面にポスター、カレンダー、書面等を掲示するにはさらに他の道具を用意する必要がある。
【発明の概要】
【発明が解決しようとする課題】
【０００３】  壁面にポスター、カレンダー、書面等を貼る、または吊り下げて掲示をする場合、壁面に画鋲を使うとか粘着テープで貼ることで、壁面にダメージを与える場合がある。とくに賃貸の住居や事務所では壁面への使用制限またはダメージを与えかねないという借主の配慮から壁面を自由に使用できない場合が多い。
また、突っ張り棒そのものには、書面等を掲示する機能はない。従って、突っ張り棒で、書面等を掲示するにはさらに他の道具を用意しなければならず、壁面を有効に使用しているとはいえない。
本発明は、以上の問題点を解決するものである。
【課題を解決するための手段】
【０００４】  角柱状の伸縮式突っ張り棒の任意の側面に複数のばね式クリップを設け、ばね式クリップの表て面には磁着体を設けた。
なおクリップは挟み込み式の場合も考えられる。
以上の構成よりなる磁着体付クリップを設けた突っ張り棒である。
【発明の効果】
【０００５】  壁面にダメージを与えることなくポスター、カレンダー、書面等を壁面に掲示することができ、かつ壁面の上部の隅々まで本発明により有効に住及び職場空間を活用することができる。また、本発明によるばね式クリップの表て面に設けた磁着体を利用してカラーマグネット等の被磁着体で書面などを挟むことができる。
本発明は、賃貸の住居や事務所など壁面の使用制限またはダメージを与えかねないという使用者の配慮により壁面を活用しにくいという問題を解決する。
【図面の簡単な説明】
【０００６】
【図１】本発明の斜視図
【図２】本発明の要部拡大斜視図
【図３】本発明の使用状態を示す一要部拡大斜視図
【図４】本発明の別の使用状態を示す斜視図
【発明を実施するための形態】
【０００７】  以下、本発明の実施の形態を説明する。
（イ）突っ張り棒（１）には外パイプ角柱部（２）と中パイプ伸縮部（３）がある。
（ロ）外パイプ角柱部（２）の任意の側面には、ポスター、カレンダー、書面等を挟み込むためのばね式クリップ受け止め部（４）とばね式クリップ挟み部（５）を設ける。
（ハ）ばね式クリップ挟み部（５）の表て面に磁着体（６）を設ける。
本発明は以上のような構造である。
本発明を使用するときには、壁と壁の間などに本発明による突っ張り棒（１）を設置し、壁面に掲示したいポスター、カレンダー、書面等を外パイプ角柱部（２）の側面に設けたばね式クリップ挟み部（５）を開いて、ばね式クリップ受け止め部（４）との間に挿入し、ばね式クリップ挟み部（５）を閉じて定着させ、壁面に掲示することができる。
また、ばね式クリップ挟み部（５）の表て面に設けた磁着体（６）で書面等をカラーマグネット等の被磁着体（７）を利用して挟み、定着させることができる。
外パイプ角柱部（２）により、画鋲や粘着テープなどによる壁面のダメージを気にすることなく書面等を壁面に定着させることができる。
尚、クリップは挟み込み式のものであっても一向に差しつかえない。
【符号の説明】
【０００８】１突っ張り棒、２外パイプ角柱部、３中パイプ伸縮部、４ばね式クリップ受け止め部、５ばね式クリップ挟み部、６磁着体  ７被磁着体
【図１】
2014014635.tif 000003
【図２】
2014014635.tif 000004
【図３】
2014014635.tif 000005
【図４】
2014014635.tif 000006
(57)【要約】【課題】書見台を使って読書する場合、一頁を読み終わると、ページをめくらなければならない。そのためには読書を中断してページをめくる作業を行わなければならないが、ページをめくる作業が大変面倒である。【解決手段】ページをめくるためには「ページ抑え」などが妨げになるので、本発明は書見台に本を開いたまま固定するために、書見台の下部に本の表紙を挿入するためのＵ字型金具（２）を２か所に取り付けて（図１）、おもて表紙と裏表紙をＵ字状の部分（３）に挿入することによって本は書見台に固定される。ページをめくる時にはＵ字型金具に取り付けられている「ページ押え」からページを抜き出して次ページの「ページ抑え」に滑り込ませることによって容易にページをめくることが出来る。【選択図】図４
2014014640.tif 000002
【特許請求の範囲】
【請求項１】
本発明の書見台（１）はＵ字型金具（２）を２個装着した書見台である。
【請求項２】
Ｕ字型金具（２）は、挿入口（３）に本の表紙（８）及び表紙（９）を挿入して本を書見台に固定する。
【請求項３】
Ｕ字型金具に「ページ押え」（６）を装着してページをめくる作業を軽減する。
【請求項４】
固くて厚い表紙の本はＵ字型金具に挿入できないが、「ページ押え」で開いたページを抑えれば跳ね返りを押さえることが出来る。
【発明の詳細な説明】
【技術分野】
【０００１】  本発明は本のページを開いた状態で読書するための書見台に関する。
【背景技術】
【０００２】  書見台を使って読書する場合、本を開いて書見台に載せる。ただ載せただけではちょっとしたはずみで本が台から落ちたり開いた本のページが跳ね返ったりすることがあるので、ほとんどの書見台は「ページ押え」などを設けて読書中の本やページを固定する工夫を施してしている
【発明の概要】
【発明が解決しようとする課題】
【０００３】  このように書見台は「ページ押え」などを設けて本を固定したり、ページを押さえたりしているが、読書を進めるためにはページをめくらなければならない。そのためには読書を中断してページをめくる作業を行わなければならないのであるが、「ページ押え」などは本を開いた状態に保つための工夫なので、ページをめくって次のページに移動する場合にはそのような工夫がかえって煩雑な作業を要求する。
【課題を解決するための手段】
【０００４】  本発明は書見台（１）に本を開いたまま固定する方法として、書見台の下部にＵ字型金具（２）を２か所に取り付けて、本のおもて表紙と裏表紙をＵ字状の挿入部分（３）に挿入することによって本を開かれた状態で書見台に固定する。〈図１〉【０００５】  Ｕ字型金具はＵ字状に折り曲げた弾力ある金属やプラスチックの板で、表紙を挿入して本を書見台に固定する機能を持つと同時に、針金状の「ページ押え」（６）の一端をＵ字部（４）に挿入して「ページ押え」の先端で開いたページが跳ね返らないよう押さえ、ページをめくる時は前頁の「ページ押え」からページを抜き取って次ページの「ページ押え」の下に滑り込ませることによって容易にページをめくることが出来る。【０００６】  本の表紙は厚さがさまざまで、厚い表紙が挿入されるとＵ字部が拡がるので「ページ押え」との間が緩んで摩擦がなくなってページを押さえる力がなくなる。その防止のためＵ字型金具の曲げ部分（４）の一部に切り目（５）を入れて（５）の部分を「ページ押え」専用とし、Ｕ字金具の開きとは無関係の構造にした。
【発明の効果】
【０００７】  本発明は本のおもて表紙と裏表紙を２か所のＵ字型金具に挿入して本を書見台に固定することで読書中の本を開いた状態に保ち、本の脱落を防止する。更にページ抑えを取り付けてページをめくる作業を容易にした。またＵ字型金具を本に取り付けたまま書見台から取り外せば電車バスの中でも片手で読書出来る便利な読書用品となる。
【図面の簡単な説明】
【０００８】
【図１】本発明の書見台の平面図である。
【図２】Ｕ字型金具に「ページ押え」（６）を取り付けた平面図である。
【図３】Ｕ字型金具に「ページ押え」（６）を取り付けた側面図である。
【図４】本発明使用中の斜視図である
【符号の説明】
【０００９】    １      書見台
２      Ｕ字型金具
３      表紙挿入口
４      Ｕ字型金具曲げ部分
５      Ｕ字型金具の切り目
６      ページ押え
７      本
８      表紙
９      表紙
【図１】
2014014640.tif 000003
【図２】
2014014640.tif 000004
【図３】
2014014640.tif 000005
【図４】
2014014640.tif 000006
(57)【要約】      （修正有）【課題】飲料用ペットボトル等を容器とし、その容器に十分な量の洗浄液を入れることができる多目的洗浄器を提供する。【解決手段】飲料水用ペットボトルを容器１とし、容器に洗浄液を流入させる穴（多角形でもよい）１０を加工し、ペットボトルに付属のフタ１１に穴加工を施す。別の実施形態では、容器の洗浄液流入用穴が容器の飲み口以外に加工される。更なる実施形態では、ノズル６より噴出する洗浄液の量を調節できる流量調整弁を付加する。更なる実施形態では、洗浄液が噴出する穴は単穴から多穴とする。【選択図】図１
2014014479.tif 000002
【特許請求の範囲】
【請求項１】
飲料水用ペットボトルに洗浄液を流入させる穴（多角形でもよい）を
加工し、当該のペットボトルに付属のフタに穴加工を施す多目的洗浄器。
【請求項２】
前記容器の洗浄液流入用穴が容器の飲み口以外に加工された多目的洗浄器。
【請求項３】
ノズルより噴出する洗浄液の量を調節する、流量調整弁を付加した、
多目的洗浄器（図示せず）
【請求項４】
洗浄液が噴出する穴は単穴から多穴である多目的洗浄器
【発明の詳細な説明】
【技術分野】
【０００１】
この発明は、眼、鼻腔等の洗浄に関する。
【背景技術】
【０００２】
従来の眼の洗浄には、水道の蛇口が上向きで、微細で多穴式で水道水を直接眼球に
流出させ洗浄していたが、眼球にあたる水流の調整が困難であり、また水道水中の殺菌
成分のため、眼に痛みや違和感を感じていた。
一方鼻腔内洗浄では、数十年前より、ガラスを容器とした、つり下げ式による洗浄液
自然流下式の洗浄器があるが、落下、破損による使用者への危険があった。
【先行技術文献】
【特許文献】
【０００３】
【特許文献１】不明
【非特許文献】
【０００４】
【非特許文献１】なし
【発明の概要】
【発明が解決しようとする課題】
【０００５】
本案は十分な洗浄液量を確保しまた自然流下式で、生理食塩水等の安価な洗浄剤を
使用でき、洗浄液の流出強さがノズルやタンクを上下に調整することで、使用者好みの
洗浄ができるものである。
【課題を解決するための手段】
【０００６】
本方式ではタンクに飲料用のペットボトルを使用することで、安価で使用が容易な
洗浄機を提供する。
【発明の効果】
【０００７】
本発明によれば、高価な容器を使用せず、安価な飲料水等のペットボトルを利用し
簡単な加工を施すだけで、多目的洗浄器を実現することができる。
【図面の簡単な説明】
【０００８】
【図１】この発明の一実施形態を示す斜視図である。
【発明を実施するための形態】
【０００９】
この発明の一実施形態を、図１に示す。
洗浄液容器１はペットボトルを使用し、底部に洗浄液を流入する穴１０を設け、容器
のキャップ１１には、ホース５の直径に比べ小径の穴を加工する。その穴にホース５を
連通させる。ホースの反対側の端部はノズル６に連結させてある。容器はあらかじめ吊
り下げ用の穴のあけられたバンド４に拘束され吊り下げロープ２、つりさげフック３
により洗面台等の上部の取っ手等に吊り下げフック３をかけることにより、洗浄容器１
は洗面台の上部空中に設置できる。
【００１０】
「実施形態の効果」
この実施形態によれば、上方の容器に入れられた洗浄液が、ホース内を自重で流下し
ノズルから流出する。ノズルを片手でノズル口を上向きに持ち、ノズルを上下に移動
させることでノズルから噴出する洗浄液の到達高さを調整できる。すなわち眼球に
当たる洗浄液の圧力や鼻腔内の洗浄する圧力の調整が容易であることを示す。
【符号の説明】
【００１１】
１：容器  ２：吊り下げロープ  ３：S字フック  ４：締め付けバンド  ５：ホース
６：ノズル  １０：洗浄液流入用穴  １１：フタ
【図１】
2014014479.tif 000003